(57)【特許請求の範囲】
【請求項１】
駆動力を制御する際に、運転者がアクセル操作子を操作する速度である操作速度と、前記運転者が前記アクセル操作子を操作した際の前記アクセル操作子の操作量であるストローク量とに基づいて、前記駆動力の制御の内容を変更し、
前記ストローク量は、前記アクセル操作子の操作速度が予め設定されている検出開始速度を超えた瞬間のアクセル開度である開始時開度と、前記アクセル操作子の操作速度がピーク操作速度に達してから予め設定された速度幅だけ変化するまでの間に前記開始時開度に対して最も変化量が大きくなったアクセル開度である終了時開度との差分であることを特徴とする車両走行制御装置。
【発明の詳細な説明】
【技術分野】
【０００１】
本発明は、車両走行制御装置に関するものである。
【背景技術】
【０００２】
従来より、自動車等の車両の走行を制御する制御装置として、運転者がアクセルペダルを速踏み操作あるいは速離し操作した場合に、車両の走行制御を通常時の走行制御と異なるものに変更する車両走行制御装置が提案されている。
【０００３】
このような車両走行制御装置としては、例えば、運転者がアクセルペダルを操作する速度である操作速度に基づいて、駆動力制御装置により車両の駆動力を変更するものがある。具体的には、運転者がアクセルペダルを速踏み操作あるいは速離し操作した場合には、車両走行制御装置は、比較的大きなアクセルペダルの操作速度を検出し、この検出したアクセルペダルの操作速度に基づいて、エンジン等の動力源を制御し、通常時制御で発生する駆動力の変化率に対し、より大きな変化率の駆動力を発生させる。これにより、車両走行制御装置は、運転者がアクセルペダルを速踏み操作あるいは速離し操作した場合には、例えば、車両を、通常時制御で制御している場合の車両よりも、大きく加減速させることができる。
【０００４】
これに関連する技術として、例えば、アクセル操作量の変化速度、すなわち、アクセルペダルの操作速度に基づいて、車両の駆動力を制御する車両の駆動力制御装置が提案されている（特許文献１）。特許文献１に開示されている車両の駆動力制御装置は、車速、アクセル操作量、および、アクセル操作量の変化速度を検出して、車速制御分目標駆動力と加速度制御分目標駆動力とを生成し、さらに、車速制御分目標駆動力と加速度制御分目標駆動力とを加算して、ドライバーの要求に応じた車両の目標駆動力を生成するものである。
【先行技術文献】
【特許文献】
【０００５】
【特許文献１】特開２００３−２３７４２１号公報
【発明の概要】
【発明が解決しようとする課題】
【０００６】
ところで、一般に、運転者がアクセルペダルを操作する場合には、アクセルペダルの操作速度は、運転者がアクセルペダルを操作する量であるストローク量の大きさに応じて変化する傾向がある。このため、例えば、運転者がアクセルペダルを速踏み操作する意志を持っていなくても、運転者がアクセルペダルを踏み込んでアクセルペダルのストローク量が比較的大きくなると、アクセルペダルの操作速度も比較的大きくなり、通常時制御で発生する駆動力に対して、大きな駆動力が発生し易くなる。つまり、運転者の意志が車両走行に反映されない場合があり、運転者がアクセルペダルを操作した場合において、運転者の意志を車両走行に反映させるのに、改善の余地がある。
【０００７】
本発明は、上記に鑑みてなされたものであって、運転者がアクセル操作子を操作した場合において、車両走行に対する運転者の意志の反映性を向上させることができる車両走行制御装置を得ることを目的とする。
【課題を解決するための手段】
【０００８】
上述した課題を解決し、目的を達成するために、本発明に係る車両走行制御装置は、駆動力を制御する際に、運転者がアクセル操作子を操作する速度である操作速度が閾値以上であるか否かを判断し、前記判断の結果に応じて、前記駆動力の制御の内容を変更する車両走行制御装置において、前記アクセル操作子の操作に関する情報のうち、前記アクセル操作子の操作速度以外の操作情報に基づいて、前記閾値を変更する、ことを特徴としている。
【０００９】
また、上記車両走行制御装置において、前記操作情報は、前記運転者が前記アクセル操作子を操作した際の前記アクセル操作子の操作量であるストローク量、または、前記運転者が前記アクセル操作子を操作開始した際のアクセル開度である、ことが好ましい。
【００１０】
また、上記車両走行制御装置において、前記操作情報は、前記運転者が前記アクセル操作子を操作開始した際に、前記アクセル操作子を全閉状態から操作したか否かの情報である、ことが好ましい。
【００１１】
また、本発明に係る車両走行制御装置は、駆動力を制御する際に、運転者がアクセル操作子を操作する速度である操作速度と、前記運転者が前記アクセル操作子を操作した際の前記アクセル操作子の操作量であるストローク量とに基づいて、前記駆動力の制御の内容を変更する、ことを特徴としている。
【発明の効果】
【００１２】
本発明によれば、アクセル操作子の操作速度が閾値以上であるか否かを判断するにあたって、アクセル操作子の操作情報に基づいて閾値を変更する。つまり、本発明は、アクセル操作子に対して急速操作が行われたか否かの判定を行う場合には、アクセル操作子の操作速度がアクセル操作子の操作情報に基づいて変更された急速操作判定用の閾値以上であるか否かを判断することとなる。これにより、本発明は、運転者がアクセル操作子を急速操作したか否かの判断精度を、例えばアクセル操作子の操作速度のみに基づいて運転者がアクセル操作子を急速操作したか否かを判断する構成の車両走行制御装置と比べて、向上させることができるという効果を奏する。ここで、急速操作とは、例えば、急加速時や急減速時、緊急時等に、運転者の意志に基づいて、運転者がアクセル操作子を通常時よりも速く操作することをいう。また、本発明によれば、急速操作が行われたか否かの判定を行う場合には、アクセル操作子の操作速度がアクセル操作子の操作情報に基づいて変更された急速操作判定用の閾値以上であるか否かを判断するので、本発明は、アクセル操作子の操作情報に基づいて変わる判断に基づいて、駆動力の制御の内容を変更することとなる。これにより、本発明は、例えばアクセル操作子の操作速度のみに基づいて駆動力の制御の内容を変更する構成の車両走行制御装置と比べて、運転者の意志をより的確に車両の走行制御に反映させることができる。つまり、本発明は、運転者がアクセル操作子を操作した場合において、車両走行に対する運転者の意志の反映性を向上させることができるという効果を奏する。
【００１３】
また、本発明によれば、アクセル操作子の操作速度およびストローク量に基づいて、駆動力を制御する。これにより、本発明は、例えばアクセル操作子の操作速度のみに基づいて駆動力の制御の内容を変更する構成の車両走行制御装置と比べて、運転者の意志をより的確に車両の走行制御に反映させることができる。つまり、本発明は、運転者がアクセル操作子を操作した場合において、車両走行に対する運転者の意志の反映性を向上させることができるという効果を奏する。
【図面の簡単な説明】
【００１４】
【図１】図１は、実施の形態１に係る車両走行制御装置の概略構成を示すブロック図である。
【図２】図２は、ＥＣＵの機能の構成を模式的に示した機能ブロック図である。
【図３】図３は、アクセル開度、アクセルペダルの操作速度、および、速踏み判定フラグの時間変化を示すタイミングチャートである。
【図４】図４は、運転者がアクセルペダルを踏み込んだ場合の操作速度およびアクセル開度の時間変化を示すグラフである。
【図５】図５は、運転者がアクセルペダルを踏み込んだ場合の操作速度およびアクセル開度の時間変化を示すグラフである。
【図６】図６は、車両走行制御装置の動作手順のフローチャートを示す図である。
【図７】図７は、実施の形態２に係る車両走行制御装置において、アクセル開度、アクセルペダルの操作速度、および、速離し判定フラグの時間変化を示すタイミングチャートである。
【図８】図８は、運転者がアクセルペダルから足を離した場合の操作速度およびアクセル開度の時間変化を示すグラフである。
【図９】図９は、実施の形態３に係る車両走行制御装置において、アクセル開度、アクセルペダルの操作速度、および、速踏み判定フラグの時間変化を示すタイミングチャートである。
【発明を実施するための形態】
【００１５】
以下に、本発明に係る車両走行制御装置の実施の形態を図面に基づいて詳細に説明する。なお、以下の各実施の形態によりこの発明が限定されるものではない。
【００１６】
〔実施の形態１〕
以下、実施の形態１に係る車両走行制御装置について説明する。図１は、実施の形態１に係る車両走行制御装置の概略構成を示すブロック図である。
【００１７】
車両走行制御装置１は、駆動力発生装置２０を制御することで、車両の走行を制御するものである。この駆動力発生装置２０は、動力源２０ａと、変速機２０ｂとから構成されており、動力源２０ａで発生する動力を増減させたり、変速機２０ｂを変速させることにより変速機２０ｂから伝達される動力を増減させることで、駆動力を増減可能とするものである。つまり、実施の形態１に係る車両走行制御装置１は、駆動力発生装置２０を制御することで、駆動力を適宜増減させ、車両の走行を制御するものである。車両走行制御装置１は、アクセルペダル１０と、アクセル開度センサ１１と、ＥＣＵ１２とを備えている。
【００１８】
ここで、動力源２０ａは、自動車等の車両を走行させるための動力を発生するものであり、エンジンが用いられている。なお、動力源２０ａは、例えば、電動モータや、エンジンと電動モータを組み合わせた所謂ハイブリッド方式の動力源であってもよい。動力源２０ａは、動力源２０ａに接続された変速機２０ｂを介して、直接または間接的に車両の駆動輪２１に連結されており、変速機２０ｂにより駆動輪２１と接続されている場合に、発生した動力を変速機２０ｂを介して駆動力として駆動輪２１に伝達し、車両を走行させることができる。
【００１９】
アクセルペダル１０は、アクセル操作子であり、動力源２０ａで発生する動力を増減させたり、変速機２０ｂを変速させることにより変速機２０ｂから伝達される動力を増減させる際の入力手段となっている。
【００２０】
アクセル開度センサ１１は、アクセル開度を検出するアクセル開度検出手段として設けられている。このアクセル開度センサ１１は、図１において矢印ｘで示すアクセルペダル１０の操作方向、すなわち、アクセルペダル１０の移動方向におけるアクセルペダル１０の位置に応じた信号であるアクセル開度信号を出力することができる。
【００２１】
ＥＣＵ１２は、演算処理を行う図示しない処理部や、数値等を記憶する図示しない記憶部、信号の入出力を行う図示しない入出力部から構成されており、後述の動作手順により駆動力発生装置２０を制御可能になっている。
【００２２】
図２は、ＥＣＵ１２の機能の構成を模式的に示した機能ブロック図である。図２に示すように、ＥＣＵ１２は、アクセル開度検出部１２０と、操作速度検出部１２１と、操作情報検出部１２２と、閾値設定部１２３と、操作判断部１２４と、制御部１２５とを備えている。これらは、上記の処理部に備えられている。
【００２３】
アクセル開度検出部１２０は、アクセル開度検出手段に相当し、アクセル開度センサ１１から出力されたアクセル開度信号に基づいて、アクセル開度を検出するものである。
【００２４】
操作速度検出部１２１は、操作速度検出手段に相当し、アクセル開度検出部１２０により検出されたアクセル開度に基づいて、アクセルペダル１０の操作速度を検出するものである。
【００２５】
操作情報検出部１２２は、操作情報検出手段に相当し、アクセル開度検出部１２０により検出されたアクセル開度に基づいて、アクセルペダル１０の操作情報を検出するものである。なお、ここでいうアクセルペダル１０の操作情報とは、運転者のアクセルペダル１０に対する操作に関する情報のうち、アクセルペダル１０の操作速度以外の情報である。この操作情報は、例えば、運転者がアクセルペダル１０を操作した際のアクセルペダル１０の操作量であるストローク量や、運転者がアクセルペダル１０を操作開始した際のアクセル開度、あるいは、運転者がアクセルペダル１０を操作開始した際に、運転者が全閉状態のアクセルペダル１０を踏み込んだか否かの情報等である。以下、本実施の形態１に係る車両走行制御装置１では、アクセルペダル１０の操作情報がストローク量である場合を例に挙げて、説明する。
【００２６】
閾値設定部１２３は、閾値設定手段に相当し、操作情報検出部１２２により検出されたアクセルペダル１０の操作情報であるストローク量に基づいて、アクセルペダル１０の操作速度の閾値を設定することで、このアクセルペダル１０の操作速度の閾値を変更するものである。ここでいうアクセルペダル１０の操作速度の閾値とは、運転者がアクセルペダル１０を急速操作したか否かを判断するための急速操作判定用の閾値である。
【００２７】
操作判断部１２４は、判断手段に相当し、操作速度検出部１２１により検出されたアクセルペダル１０の操作速度が閾値設定部１２３で設定した閾値以上であるか否かを判断するものである。
【００２８】
制御部１２５は、駆動力制御手段に相当し、操作判断部１２４による判断結果に応じて、動力源２０ａを制御する。この制御部１２５は、動力源２０ａを制御する際に、アクセル開度検出部１２０により検出されたアクセル開度に応じた大きさの動力を動力源２０ａに発生させるものである。
【００２９】
次に、実施の形態１に係る車両走行制御装置１の動作について説明する。
【００３０】
運転者がアクセルペダル１０を踏み込む操作や戻す操作を行うと、この操作に応じたアクセル開度信号がアクセル開度センサ１１から出力される。この場合、アクセル開度検出部１２０が、アクセル開度センサ１１から出力されたアクセル開度信号に基づいて、アクセル開度を検出する。そして、制御部１２５が、アクセル開度検出部１２０での検出結果に基づいて、動力源２０ａを制御する。これにより、制御部１２５は、動力源２０ａで発生する動力を制御することで、駆動力を制御する。
【００３１】
また、車両走行制御装置１は、操作判断部１２４による判断結果に応じて、制御部１２５が動力源２０ａに対して制御する内容を変更する。本実施の形態１に係る車両走行制御装置１は、操作判断部１２４が、操作速度検出部１２１により検出されたアクセルペダル１０の操作速度と、操作情報検出部１２２により検出されたアクセルペダル１０のストローク量とに基づいて、運転者がアクセルペダル１０を急速操作したか否かを判断する。この操作判断部１２４は、アクセルペダル１０の操作速度が閾値以上であるか否かを判断し、制御部１２５は、この操作判断部１２４での判断結果に基づいて、動力源２０ａに対して制御する内容を変更する。
【００３２】
図３は、アクセル開度、アクセルペダル１０の操作速度、および、速踏み判定フラグの時間変化を示すタイミングチャートである。なお、図３における（ａ）に示す符号αは、運転者がアクセルペダル１０を踏み込む前のアクセル開度を示している。図３における（ａ）および（ｂ）に示すように、例えば、運転者がアクセルペダル１０を踏み込んでアクセル開度が増加すると（時刻ｔ１）、操作情報検出部１２２が、判断期間Ｔにおいて、アクセル開度検出部１２０により検出したアクセル開度に基づいて、アクセルペダル１０のストローク量を求める。判断期間Ｔとは、運転者がアクセルペダル１０を急速操作したか否かを判断するための期間であり、アクセルペダル１０の操作速度が後述の検出開始速度を越えた時点から後述のアクセルペダル１０のピーク操作速度に対して後述の速度幅Δｖだけ変化するまでの期間である。なお、図３における符号ｔ２は、判断期間Ｔの終了時を示している。
【００３３】
より詳しく述べると、実施の形態１に係る車両走行制御装置１では、操作情報検出部１２２は、次のようにしてアクセルペダル１０のストローク量を求める。図４は、運転者がアクセルペダル１０を踏み込んだ場合の操作速度およびアクセル開度の時間変化を示すグラフである。図４における（ａ）および（ｂ）に示すように、運転者がアクセルペダル１０を踏み込んだ場合には、アクセル開度検出部１２０が、開始時開度を検出する。開始時開度とは、アクセルペダル１０の操作速度が操作速度検出部１２１に予め設定されている検出開始速度を超えた瞬間のアクセル開度である。ここで、検出開始速度とは、操作情報検出部１２２がアクセルペダル１０のストローク量を検出するために、操作速度検出部１２１がアクセルペダル１０の操作速度を測定開始するための閾値であり、ＥＣＵ１２の記憶部に予め記憶されている。
【００３４】
そして、操作速度検出部１２１が、その後のアクセルペダル１０の操作速度のピーク値であるピーク操作速度を検出し、さらに、アクセルペダル１０の操作速度がピーク操作速度に達してからこのピーク操作速度に対し速度幅Δｖだけ変化するまでの間に、アクセル開度検出部１２０は、開始時開度に対して最も変化量が大きいアクセル開度である終了時開度を検出する。つまり、運転者がアクセルペダル１０を踏み込んだ場合の終了時開度は、時刻ｔ２でのアクセル開度であり、判断期間Ｔにおける最大のアクセル開度である。ここでは、アクセル開度検出部１２０は、操作速度検出部１２１がピーク操作速度としてアクセルペダル１０を踏み込む方向の操作速度の最大値を検出し、さらに、アクセルペダル１０の操作速度がピーク操作速度に達してからこのピーク操作速度に対し速度幅Δｖだけ下がるまでの間に最大となった判断期間Ｔの終了時（時刻ｔ２）でのアクセル開度を、終了時開度として検出する。そして、操作情報検出部１２２が、アクセル開度検出部１２０により検出された開始時開度と終了時開度との差分をとり、その絶対値をアクセルペダル１０のストローク量とする。
【００３５】
なお、ピーク操作速度は、操作速度検出部１２１により、例えば、アクセルペダル１０の操作速度の微分値を算出しつつ、この微分値の符号が変化するときのアクセルペダル１０の操作速度を検出することで求められる。すなわち、ピーク操作速度は、操作速度検出部１２１により、例えば、アクセルペダル１０の操作速度の微分値の符号が正から負、あるいは、負から正に変わるときのアクセルペダル１０の操作速度を検出することで求められる。また、速度幅Δｖは、アクセルペダル１０の操作速度を測定終了するためのものであり、ＥＣＵ１２の記憶部に予め記憶されている。
【００３６】
ここで、速度幅Δｖを設定する意義について、説明する。アクセルペダル１０は、ピーク操作速度に達し、アクセルペダル１０の操作速度が低下し始めた場合でも、その後もある期間の間は、ピーク操作速度に達した時点のアクセルペダル１０と同じ方向に移動する。つまり、アクセルペダル１０は、操作速度がピーク操作速度に達した後も、ある期間の間はストローク量が増大し続ける。そこで、操作情報検出部１２２は、開始時開度と、アクセルペダル１０の操作速度がピーク操作速度に達した時点のアクセル開度との差分を求めずに、開始時開度と、前述の終了時開度との差分を求め、この求めた差分に基づいて、アクセルペダル１０のストローク量を求める。つまり、操作情報検出部１２２は、運転者の意志が反映されるアクセルペダル１０のストローク量をより適切に検出するために、速度幅Δｖを設定している。
【００３７】
一方、運転者がアクセルペダル１０を戻した場合には、アクセル開度検出部１２０が、開始時開度を検出する。そして、アクセル開度検出部１２０は、操作速度検出部１２１がピーク操作速度としてアクセルペダル１０の戻す方向の操作速度の最大値を検出し、さらに、アクセルペダル１０の操作速度がピーク操作速度に達してからこのピーク操作速度に対し速度幅Δｖだけ下がるまでの間に最小であったアクセル開度を、終了時開度として検出する。そして、操作情報検出部１２２が、アクセル開度検出部１２０により検出された開始時開度と終了時開度との差分をとり、その絶対値をアクセルペダル１０のストローク量とする。
【００３８】
以上のようにして、操作情報検出部１２２は、アクセルペダル１０のストローク量を検出する。
【００３９】
なお、操作情報検出部１２２によるアクセルペダル１０のストローク量の検出は、上述した方法以外の方法で行ってもよい。図５は、運転者がアクセルペダル１０を踏み込んだ場合の操作速度およびアクセル開度の時間変化を示すグラフである。例えば、図５における（ａ）および（ｂ）に示すように、運転者がアクセルペダル１０を踏み込んだ場合には、アクセル開度検出部１２０が開始時開度を検出し、さらに、終了時開度を検出する。ここでいう終了時開度とは、アクセルペダル１０の操作速度が検出開始速度を越えた時点から時間幅Δｔだけ経過するまでの間に、開始時開度に対して最も変化量が大きいアクセル開度である。つまり、このようにして終了時開度を求める場合でも、運転者がアクセルペダル１０を踏み込んだ場合の終了時開度は、時刻ｔ２でのアクセル開度であり、判断期間Ｔにおける最大のアクセル開度である。この場合の判断期間Ｔとは、アクセルペダル１０の操作速度が検出開始速度を越えた時点から時間幅Δｔだけ経過するまでの期間である。ここでは、アクセル開度検出部１２０は、操作速度検出部１２１が検出したアクセルペダル１０の操作速度が検出開始速度を越えた時点から時間幅Δｔだけ経過するまでの間に、最大となった判断期間Ｔの終了時（時刻ｔ２）でのアクセル開度を、終了時開度として検出する。また、時間幅Δｔは、アクセルペダル１０の操作速度を測定終了するためのものであり、ＥＣＵ１２の記憶部に予め記憶されている。そして、操作情報検出部１２２が、アクセル開度検出部１２０により検出された開始時開度と終了時開度との差分をとり、その絶対値をアクセルペダル１０のストローク量とする。また、運転者がアクセルペダル１０を戻した場合も同様に、アクセル開度検出部１２０で開始時開度と終了時開度とを検出する。この場合、アクセル開度検出部１２０は、操作速度検出部１２１が検出したアクセルペダル１０の操作速度が検出開始速度を越えた時点から時間幅Δｔだけ経過するまでの間に、最小であったアクセル開度を、終了時開度として検出する。そして、操作情報検出部１２２が、アクセル開度検出部１２０に検出された開始時開度と終了時開度との差分をとり、その絶対値をアクセルペダル１０のストローク量とする。
【００４０】
操作情報検出部１２２がアクセルペダル１０のストローク量を検出すると、閾値設定部１２３は、操作情報検出部１２２により検出されたアクセルペダル１０のストローク量に基づいて、閾値ｔｈ１を設定する。
【００４１】
より詳しく述べると、閾値設定部１２３は、アクセルペダル１０の操作情報であるストローク量を検出すると、記憶部に記憶されている閾値設定マップを参照し、運転者がアクセルペダル１０を急速操作したか否かを判断するための閾値を設定する。ここで、閾値設定マップとは、アクセルペダル１０の操作情報であるアクセルペダル１０のストローク量と、閾値設定部１２３が設定する閾値とが関連付けされているマップであり、例えば、ＬＵＴ（Ｌｏｏｋ  Ｕｐ  Ｔａｂｌｅ）が用いられる。
【００４２】
ところで、アクセルペダル１０の操作速度は、アクセルペダル１０のストローク量が増大するに伴い、増加する傾向がある。このため、閾値設定マップでは、急速操作判定用の閾値ｔｈ１は、アクセルペダル１０のストローク量が増大するに伴い、大きくなるように設定されている。したがって、この閾値設定マップにより閾値を設定する閾値設定部１２３は、操作情報検出部１２２により検出されたアクセルペダル１０のストローク量が増大するに伴い、設定する閾値ｔｈ１を大きくする。
【００４３】
なお、閾値設定部１２３は、アクセルペダル１０のストローク量に基づいて閾値ｔｈ１を設定する際、上述の閾値設定マップを参照する方法に代えて、例えば、アクセルペダル１０のストローク量に基づいて閾値設定部１２３で設定する閾値ｔｈ１を求める関数である、閾値設定関数を用いる方法や、アクセルペダル１０のストローク量を検出する度に、閾値設定部１２３の演算により設定する閾値ｔｈ１を用いる方法を適用してもよい。
【００４４】
閾値設定部１２３が閾値ｔｈ１を設定すると、操作判断部１２４は、操作情報検出部１２２によりアクセルペダル１０のストローク量を検出する期間におけるアクセルペダル１０の操作速度の最大値であるピーク操作速度が閾値ｔｈ１以上であるか否かを判断することで、運転者がアクセルペダル１０を速踏み操作したか否かを判断する。例えば、図３では、（ｂ）に示すように、ピーク操作速度が閾値ｔｈ１以上であるので、このような場合は、操作判断部１２４は、運転者がアクセルペダル１０を速踏み操作したと判断する。
【００４５】
操作判断部１２４は、運転者がアクセルペダル１０を速踏み操作したと判断すると、図３における（ｃ）に示すように、速踏み操作時の操作判定フラグである速踏み判定フラグの値を１に設定する。つまり、操作判断部１２４は、アクセルペダル１０の操作速度が閾値ｔｈ１以上の場合は、運転者がアクセルペダル１０を速踏み操作したと判断して、速踏み判定フラグを１に設定する。これにより、制御部１２５は、この設定された速踏み判定フラグの値１に基づいて、動力源２０ａを急速時制御で動作させる。すなわち、制御部１２５は、操作判断部１２４で設定された速踏み判定フラグの値１に基づいて、動力源２０ａで発生する動力の変化率を、通常時において動力源２０ａで発生する動力の変化率である通常変化率よりも大きくする。
【００４６】
また、車両走行制御装置１は、操作速度検出部１２１により検出されたアクセルペダル１０の操作速度と、操作情報検出部１２２により検出されたアクセルペダル１０のストローク量とに基づいて、操作判断部１２４により運転者がアクセルペダル１０を急速操作したか否かを判断し、運転者がアクセルペダル１０を急速操作していないと判断した場合には、アクセルペダル１０の操作時の操作判定フラグの値を０に設定する。制御部１２５は、操作判断部１２４で設定された操作判定フラグの値０に基づいて、動力源２０ａを通常時制御で動作させる。
【００４７】
以上のように、制御部１２５は、操作判断部１２４により設定された操作判定フラグの値に基づいて、動力源２０ａを通常時制御で動作させるか、あるいは、急速時制御で動作させるかを切り替える。
【００４８】
次に、本実施の形態１に係る車両走行制御装置１で動力源２０ａの制御を行う場合の動作手順について説明する。
【００４９】
図６は、車両走行制御装置１の動作手順のフローチャートを示す図である。
【００５０】
ＥＣＵ１２は、アクセル開度が変更される毎に、運転者がアクセルペダル１０を急速操作したか否かを判断するための判定ルーチンを呼び出し（スタート）、駆動力を制御する処理である駆動力制御処理を実行する。
【００５１】
この判定ルーチンでは、まず、操作速度検出部１２１および操作情報検出部１２２がアクセルペダル１０の操作速度および操作情報を検出する（ステップＳ１００）。ここでは、操作速度検出部１２１が、アクセル開度検出部１２０からの出力結果に基づいて、アクセル開度の時間変化を算出することで、ピーク操作速度等のアクセルペダル１０の操作速度を求める。また、操作情報検出部１２２は、アクセル開度検出部１２０からの出力結果に基づいて、アクセルペダル１０の操作情報であるストローク量を求める。
【００５２】
次に、閾値設定部１２３が、操作情報検出部１２２で求められたアクセルペダル１０のストローク量に基づいて、急速操作判定用の閾値ｔｈ１を設定する（ステップＳ１０１）。
【００５３】
次に、操作判断部１２４が、操作速度検出部１２１で求められたアクセルペダル１０の操作速度が閾値設定部１２３で設定された閾値ｔｈ１以上であるか否かを判断する（ステップＳ１０２）。ここでは、操作判断部１２４は、操作速度検出部１２１で検出されたピーク操作速度が閾値設定部１２３で設定された閾値ｔｈ１以上であるか否かを判断する。つまり、操作判断部１２４は、操作速度検出部１２１で検出されたアクセルペダル１０のピーク操作速度と、操作情報検出部１２２で検出されたアクセルペダル１０のストローク量に基づいて閾値設定部１２３で設定された閾値ｔｈ１とを比較することにより、アクセルペダル１０が速踏み操作あるいは速離し操作されたか否かを判断する。
【００５４】
操作判断部１２４での判断により操作速度検出部１２１で検出されたアクセルペダル１０の操作速度が閾値設定部１２３で設定された閾値ｔｈ１以上であると判断すると（ステップＳ１０２肯定）、制御部１２５が、急速時制御で駆動力を発生させる（ステップＳ１０３）。すなわち、操作判断部１２４は、操作速度検出部１２１で検出されたアクセルペダル１０の操作速度が閾値設定部１２３で設定された閾値ｔｈ１以上の場合は、運転者がアクセルペダル１０を速踏み操作あるいは速離し操作したと判断して、操作判定フラグを１に設定する。すると、制御部１２５が、この操作判定フラグの値１に基づいて、例えば、動力源２０ａで発生する動力の変化率を、通常時において動力源２０ａで発生する動力の変化率である通常変化率よりも大きくする。これにより、例えば、制御部１２５は、操作判断部１２４で運転者がアクセルペダル１０を速踏み操作したと判断された場合には、アクセル開度検出部１２０でのアクセル開度の検出値に応じて設定する目標出力値を、このアクセル開度の検出値に応じて設定する通常操作時での目標出力値に対して増加させる。なお、ここでいう目標出力値とは、運転者が要求している車両の出力値であり、例えば、目標加速度や、目標トルク、目標駆動力などである。また例えば、制御部１２５は、操作判断部１２４で運転者がアクセルペダル１０を速離し操作したと判断された場合には、目標出力値を通常時制御による目標出力値に対して減少させることで、例えば、目標減速度を増加させる。以上のようにして、制御部１２５は、急速時制御で駆動力を発生させると、運転者が再びアクセルペダル１０を操作してアクセル開度が変更されるまでは、急速時制御での制御を維持し続ける（リターン）。
【００５５】
また、操作判断部１２４での判断により操作速度検出部１２１で検出されたアクセルペダル１０の操作速度が閾値設定部１２３で設定された閾値ｔｈ１未満であると判断すると（ステップＳ１０２否定）、制御部１２５は、通常時制御で駆動力を発生させる（ステップＳ１０４）。すなわち、操作判断部１２４は、操作速度検出部１２１で検出されたアクセルペダル１０のピーク操作速度が操作情報検出部１２２で設定されたアクセルペダル１０のストローク量に応じて閾値設定部１２３で設定された急速操作判定用の閾値ｔｈ１未満であるので、運転者が速踏み操作あるいは速離し操作のいずれも行っていないと判断して、操作判定フラグの値を０に設定する。すると、制御部１２５は、この操作判定フラグの値０に基づいて、動力源２０ａで発生する動力の変化率を、通常変化率とする。これにより、制御部１２５は、操作判断部１２４で運転者がアクセルペダル１０を速踏み操作あるいは速離し操作のいずれも行っていないと判断された場合には、アクセル開度検出部１２０でのアクセル開度の検出値に応じて設定する目標出力値を、このアクセル開度の検出値に応じて設定する通常操作時での目標出力値とする。
【００５６】
以上説明したように、本発明の実施の形態１に係る車両走行制御装置１は、操作判断部１２４によりアクセルペダル１０の操作速度が急速操作判定用の閾値ｔｈ１以上であるか否かを判断するにあたって、閾値設定部１２３がアクセルペダル１０の操作情報であるストローク量に基づいて急速操作判定用の閾値ｔｈ１を変更する。つまり、操作判断部１２４は、アクセルペダル１０に対して急速操作が行われたか否かの判定を行う場合には、アクセルペダル１０の操作速度が操作情報であるストローク量に基づいて変更された急速操作判定用の閾値ｔｈ１以上であるか否かを判断することとなる。これにより、車両走行制御装置１は、運転者がアクセルペダル１０を急速操作したか否かの判断精度を、例えばアクセルペダル１０の操作速度のみに基づいて運転者がアクセルペダルを急速操作したか否かを判断する構成の車両走行制御装置と比べて、向上させることができる。
【００５７】
また、本発明の実施の形態１に係る車両走行制御装置１は、アクセルペダル１０の急速操作が行われたか否かの判定を行う場合には、操作判断部１２４でアクセルペダル１０の操作速度がアクセルペダル１０の操作情報であるストローク量に基づいて変更された急速操作判定用の閾値ｔｈ１以上であるか否かを判断する。このため、制御部１２５は、アクセルペダル１０のストローク量に基づいて変わる操作判断部１２４での判断に基づいて、駆動力発生装置２０の動力源２０ａの制御内容を変更することとなる。つまり、制御部１２５は、アクセルペダル１０のストローク量に基づいて変わる操作判断部１２４での判断に基づいて、駆動力の制御の内容を変更する。これにより、本発明の実施の形態１に係る車両走行制御装置１は、例えばアクセルペダルの操作速度のみに基づいて駆動力の制御の内容を変更する構成の車両走行制御装置と比べて、運転者の意志をより的確に車両の走行制御に反映させることができる。つまり、本発明の実施の形態１に係る車両走行制御装置１は、運転者がアクセルペダル１０を操作した場合において、車両走行に対する運転者の意志の反映性を向上させることができる。
【００５８】
また、本発明の実施の形態１に係る車両走行制御装置１では、前述のように、制御部１２５がアクセルペダル１０のストローク量に基づいて変わる操作判断部１２４での判断に基づいて、動力源２０ａの制御内容を変更する。このため、例えば、通常時において、運転者がアクセルペダル１０を比較的大きく踏み込んだり、あるいは、アクセルペダル１０を比較的大きく戻したりして、アクセルペダル１０のストローク量が比較的大きくなった場合には、アクセルペダル１０の操作速度の絶対値が比較的大きくなり、アクセルペダル１０の操作速度が閾値設定部１２３で変更された急速操作判定用の閾値ｔｈ１以上になったときに、制御部１２５により動力源２０ａで発生する動力の変化率が通常変化率よりも大きく設定される。このため、例えば、制御部１２５は、操作判断部１２４により運転者がアクセルペダル１０を速踏み操作をしたと判断された場合には、通常時制御で発生する動力よりも大きな動力を動力源２０ａに発生させ、駆動力を大きくする。これに対し、制御部１２５は、操作判断部１２４により運転者が速離し操作をしたと判断された場合には、通常時制御で発生する動力よりも小さな動力を動力源２０ａに発生させ、駆動力を小さくする。すなわち、制御部１２５は、操作判断部１２４により運転者が速離し操作をしたと判断された場合には、例えば、通常時制御で発生する車両の減速度よりも大きな減速度を動力源２０ａに発生させる。以上のように、速踏み速離し時には、制御部１２５が動力源２０ａで発生する動力の変化率を通常変化率よりも大きくするので、車両走行制御装置１は、運転者がアクセルペダル１０を急速操作したときの駆動力の応答性を、通常時制御での駆動力の応答性よりも向上させることができる。
【００５９】
また、本発明の実施の形態１に係る車両走行制御装置１は、操作情報検出部１２２が開始時開度と前述の終了時開度との差分に基づいて、アクセルペダル１０のストローク量を求めている。これにより、開始時開度と、アクセルペダルの操作速度がピーク操作速度に達した時点のアクセル開度との差分に基づいて、アクセルペダルのストローク量を求める構成と比べて、アクセルペダル１０のストローク量の検出精度を高めることができる。
【００６０】
また、本発明の実施の形態１に係る車両走行制御装置１は、操作情報検出部１２２により検出されたアクセルペダル１０のストローク量が増大するに伴い、閾値設定部１２３により変更される急速操作判定用の閾値ｔｈ１が高めに設定される。このため、例えば、運転者が動力源２０ａを通常時制御で制御したいときにも、運転者がアクセルペダル１０を操作した場合において、車両走行に対する運転者の意志の反映性を向上させることができる。すなわち、本発明の実施の形態１に係る車両走行制御装置１は、通常時にアクセルペダル１０のストローク量が比較的大きくなっても、アクセルペダル１０の操作速度が閾値ｔｈ１未満であるときには、制御部１２５が動力源２０ａを通常時制御で制御する。これにより、本発明の実施の形態１に係る車両走行制御装置１は、例えばアクセルペダル１０の操作速度のみに基づいて動力源を制御する構成の車両走行制御装置と比べて、運転者の動力源２０ａを通常時制御で制御したいという意志をより的確に車両の走行制御に反映させることができる。
【００６１】
〔実施の形態２〕
次に、実施の形態２に係る車両走行制御装置について説明する。ここで、実施の形態２に係る車両走行制御装置は、運転者がアクセルペダル１０の踏込みを解除した場合に、検出したアクセル開度に基づいて、運転者がアクセルペダル１０を速離し操作したか否かを判断する点に特徴がある。この他、実施の形態２に係る車両走行制御装置１は、実施の形態１に係る車両走行制御装置１と基本的構成が同一であるので、その説明を省略する。
【００６２】
以下、実施の形態２では、アクセルペダル１０の操作情報が、運転者がアクセルペダル１０を操作開始した際のアクセル開度である場合を例に挙げ、運転者がアクセルペダル１０の踏込みを解除した場合に、検出したアクセル開度に基づいて、運転者がアクセルペダル１０を速離し操作したか否かを判断する構成について、説明する。
【００６３】
図７は、実施の形態２に係る車両走行制御装置において、アクセル開度、アクセルペダル１０の操作速度、および、速離し判定フラグの時間変化を示すタイミングチャートである。図７における（ａ）および（ｂ）に示すように、運転者がアクセルペダル１０から足を離してアクセル開度が減少すると（時刻ｔ３）、アクセル開度検出部１２０が、前述のように、開始時開度を検出する。
【００６４】
図８は、運転者がアクセルペダル１０から足を離した場合の操作速度およびアクセル開度の時間変化を示すグラフである。図８における（ａ）および（ｂ）に示すように、運転者がアクセルペダル１０から足を離した場合には、アクセル開度検出部１２０で開始時開度を検出し、操作情報検出部１２２が、この検出された開始時開度をそのままストローク量に相当する操作情報として取り扱う。
【００６５】
図７に示すように、アクセル開度検出部１２０で検出されたアクセル開度に基づいて、操作情報検出部１２２でアクセルペダル１０のストローク量に相当する操作情報を検出すると、閾値設定部１２３が、操作情報検出部１２２で検出されたアクセルペダル１０の操作情報に基づいて、急速操作判定用の閾値ｔｈ１を設定する。
【００６６】
そして、操作判断部１２４が、アクセル開度検出部１２０でアクセル開度を検出した後のアクセルペダル１０のピーク操作速度が閾値ｔｈ１以上であるか否かを判断することで、運転者がアクセルペダル１０を速離し操作したか否かを判断する。ここでは、操作判断部１２４は、アクセルペダル１０の操作速度の絶対値から、アクセルペダル１０のピーク操作速度を検出する。すなわち、この場合のピーク操作速度とは、アクセルペダル１０の戻す方向の操作速度の最大値である。図７における（ｂ）に示すように、操作判断部１２４は、操作速度検出部１２１で検出されたアクセルペダル１０のピーク操作速度が閾値設定部１２３で設定された閾値ｔｈ１以上の場合は、運転者がアクセルペダル１０を速離し操作したと判断する。
【００６７】
そして、操作判断部１２４は、運転者がアクセルペダル１０を速離し操作したと判断すると、図７における（ｃ）に示すように、速離し操作時の操作判定フラグである速離し判定フラグの値を１に設定する。そして、制御部１２５は、この設定された速離し判定フラグの値１に基づいて、動力源２０ａを急速時制御で動作させる。
【００６８】
より詳しく述べると、運転者がアクセルペダル１０を速離し操作する場合には、運転者は、アクセルペダル１０が全閉状態となるまで、アクセルペダル１０から足を離すことが大半である。アクセルペダル１０が全閉状態となるまで運転者がアクセルペダル１０に対して速離し操作を行うと、短時間でアクセル開度が最小値、すなわち、アクセル開度が０％となる。このため、操作情報検出部１２２は、実施の形態１の車両走行制御装置１のように、開始時開度と終了時開度との差分を求めて、その絶対値からアクセルペダル１０のストローク量を検出しなくても、図８に示すように、運転者がアクセルペダル１０を速離し操作した時点のアクセル開度そのものから、アクセルペダル１０のストローク量に相当する情報を検出することができる。
【００６９】
これにより、実施の形態２に係る車両走行制御装置１は、操作情報検出部１２２が、アクセルペダル１０のストローク量を検出するのではなく、運転者がアクセルペダル１０を速離し操作した時点でアクセル開度検出部１２０で検出されたアクセル開度を、アクセルペダル１０の操作情報として使用することで、操作情報検出部１２２によりアクセルペダル１０のストローク量を算出する手間やアクセルペダル１０のストローク量の算出に伴うタイムラグを省くことができる。したがって、車両走行制御装置１は、運転者がアクセルペダル１０を速離し操作したか否かの判断を、素早く行うことができる。
【００７０】
〔実施の形態３〕
次に、実施の形態３に係る車両走行制御装置について説明する。実施の形態３に係る車両走行制御装置は、運転者が全閉状態のアクセルペダル１０を踏み込んだ場合に、急速操作判定用の閾値を、踏み増ししている場合の急速操作判定用の閾値に対して、高く設定する点に特徴がある。この他、実施の形態３に係る車両走行制御装置は、実施の形態１に係る車両走行制御装置と基本的構成が同一であるので、その説明を省略する。
【００７１】
以下、実施の形態３では、アクセルペダル１０の操作情報が、運転者がアクセルペダル１０を操作開始した際に、全閉状態のアクセルペダル１０を踏み込んだか否かの情報である場合を例に挙げて、説明する。
【００７２】
図９は、実施の形態３に係る車両走行制御装置において、アクセル開度、アクセルペダル１０の操作速度、および、速踏み判定フラグの時間変化を示すタイミングチャートである。図９における（ａ）および（ｂ）に示すように、運転者がアクセルペダル１０を踏み込んでアクセル開度が増加すると（時刻ｔ４）、アクセル開度検出部１２０が、開始時開度を検出する。このとき、アクセル開度検出部１２０で開始時開度が０％、すなわち、アクセル開度が全閉状態であることを検出すると、操作情報検出部１２２は、アクセル開度検出部１２０での検出結果に基づいて、運転者が全閉状態のアクセルペダル１０を踏み込んだという情報を検出する。
【００７３】
そして、操作情報検出部１２２でこのような操作情報が検出されると、閾値設定部１２３が、この検出された操作情報に基づいて、運転者がアクセルペダル１０を踏み増ししている場合における急速操作判定用の閾値ｔｈ２に対して、より高い値の急速操作判定用の閾値ｔｈ３を設定する。
【００７４】
そして、操作速度検出部１２１が、運転者がアクセルペダル１０を急速操作したか否かを判断するための判断期間Ｔにおいて、アクセルペダル１０の踏み込む方向の操作速度の最大値をピーク操作速度として検出する。さらに、操作判断部１２４が、操作速度検出部１２１で検出されたピーク操作速度が閾値設定部１２３で設定された閾値ｔｈ３以上であるか否かを判断する。すなわち、操作判断部１２４は、運転者がアクセルペダル１０を速踏み操作したか否かを判断する。そして、操作判断部１２４は、操作速度検出部１２１で検出されたピーク操作速度が閾値ｔｈ２以上であっても、閾値設定部１２３で設定された閾値ｔｈ３未満であると判断した場合には、図９における（ｃ）に示すように、速踏み判定フラグの値を０に設定する。
【００７５】
この場合、制御部１２５は、操作判断部１２４で設定された速踏み判定フラグの値０に基づいて、動力源２０ａを通常時制御で動作させる。
【００７６】
また、操作判断部１２４は、操作速度検出部１２１で検出されたピーク操作速度が閾値設定部１２３で設定された閾値ｔｈ３以上であると判断した場合には、速踏み判定フラグの値を１に設定する。この場合、制御部１２５は、操作判断部１２４で設定された速踏み判定フラグの値１に基づいて、動力源２０ａを急速時時制御で動作させる。
【００７７】
実施の形態３の車両走行制御装置１は、前述のように動作するので、例えば、運転者の意志が通常時制御で駆動力を発生させたいという場合に、運転者がアクセルペダル１０に対して足を離している状態から踏み込むことにより、アクセルペダル１０の操作速度がアクセルペダル１０の踏み増し時よりも速くなったときには、アクセルペダル１０のピーク操作速度が変更前の閾値ｔｈ２よりも大きくなっても、変更後の閾値ｔｈ３未満であれば、操作判断部１２４は、運転者がアクセルペダル１０に対して速踏み操作をしていないと判断する。このような場合、制御部１２５は、操作判断部１２４での判断結果に基づいて、動力源２０ａを急速時制御で駆動させずに、通常時制御で駆動させる。
【００７８】
つまり、ＥＣＵ１２は、運転者がアクセルペダル１０を全閉状態から踏み込んだ場合でも、通常時制御で駆動力を発生させたいという運転者の意志を、動力源２０ａに対する駆動力制御に反映させることができる。すなわち、運転者の意志が通常時制御で駆動力を発生させたいという場合に、運転者がアクセルペダル１０に対して足を離している状態から踏み込むことにより、アクセルペダル１０の操作速度が踏み増し時における通常の速度よりも速くなったときでも、実施の形態３に係る車両走行制御装置１は、車両を通常時制御で走行させることができる。これにより、実施の形態３に係る車両走行制御装置１は、運転者がアクセルペダル１０を操作した場合において、車両走行に対する運転者の意志の反映性を向上させることができる。
【００７９】
〔変形例〕
なお、実施の形態１〜３に係る車両走行制御装置１は、アクセルペダル１０の速踏み速離し時における駆動力制御により、動力源２０ａを制御するのではなく、変速機２０ｂを制御してもよい。この場合、車両走行制御装置１は、操作判断部１２４による判断結果に応じて、制御部１２５が変速機２０ｂに対して制御する内容を変更する。
【００８０】
つまり、操作判断部１２４が、閾値設定部１２３が検出したアクセルペダル１０の操作情報に基づいて急速操作判定用の閾値を設定し、ピーク操作速度がこの設定した閾値以上であるか否かを判断し、運転者がアクセルペダル１０を急速操作である速踏み操作あるいは速離し操作をしたと判断すると、この判断結果に応じて、制御部１２５が変速機２０ｂに対する制御内容を変更する。操作判断部１２４で運転者がアクセルペダル１０を速踏み操作あるいは速離し操作したと判断された場合は、制御部１２５が、例えば、変速機２０ｂで選択するギヤを、通常時制御で選択するギヤに対して、回転数の低いものに切り替える。これにより、例えば、車両走行制御装置１は、車両を、通常時制御で変速機２０ｂを制御している場合の車両と比べて、より大きく加減速させることができる。つまり、車両走行制御装置１は、例えばアクセルペダルの操作速度のみに基づいて駆動力発生装置の変速機を制御する構成の車両走行制御装置と比べて、運転者の意志をより的確に車両の走行制御に反映させることができる。すなわち、車両走行制御装置１は、運転者がアクセルペダル１０を操作した場合において、車両走行に対する運転者の意志の反映性を向上させることができる。
【００８１】
また、本発明に係る車両走行制御装置１は、実施の形態１〜３で説明した車両走行制御装置１の２つ以上を組み合わせたものであってもよい。例えば、本発明に係る車両走行制御装置１は、運転者がアクセルペダル１０を戻す場合に、アクセル開度が設定値（例えば、アクセル開度５０％）以上であるか否かに基づいて、動力源２０ａに対する駆動力制御処理を、実施の形態１で説明したものと、実施の形態２で説明したものとで使い分けて実行しても良い。これにより、上記設定にした場合には、アクセル開度が設定値以上であるときには、実施の形態１で説明した制御手順により、操作判断部１２４により運転者がアクセルペダル１０に対して速離し操作したか否かを判断する。これに対し、アクセル開度が上記の設定値未満であるときには、実施の形態２で説明した駆動力制御処理により、運転者がアクセルペダル１０から足を離して、アクセルペダル１０が全閉状態になると予測して、操作判断部１２４によりアクセルペダル１０が全閉状態になると判断する。以上のように操作判断部１２４でアクセルペダル１０の操作を判断させ、制御部１２５が、操作判断部１２４による判断結果に応じて、動力源２０ａで発生する動力を制御してもよい。
【００８２】
ところで、運転者が速踏み操作や速離し操作を行う場合は、仮に車両に振動等のショックが多少現れたとしても、アクセルペダル１０の急速操作に対する車両の応答である急速応答を素早くしたいと考えている場合が多い。そこで、制御部１２５は、例えば、操作判断部１２４で運転者が速踏み操作あるいは速離し操作したと判断された場合には、動力源２０ａで発生する動力の応答性を上げるように、動力源２０ａに対して制御する内容を変更してもよい。この場合、例えば、制御部１２５は、通常時制御において、車両に振動等のショックが発生することを防止するように急速応答を低下させている車両では、操作判断部１２４で運転者が速踏み操作あるいは速離し操作したと判断された場合には、車両に振動等のショックが発生することを許容して、急速応答を高めることができる。
【００８３】
また、実施の形態１〜３に係る車両走行制御装置１では、アクセル操作子がアクセルペダル１０である場合について説明したが、アクセル操作子はこれに限らない。アクセル操作子は、アクセル操作子がレバーやグリップ等の操作子であってもよい。
【００８４】
また、以上説明した車両走行制御装置１において、アクセル操作子に代えて、ブレーキペダル等のブレーキ操作子を適用してもよい。この場合、車両走行制御装置１は、操作判断部１２４により運転者がブレーキ操作子を急速操作したか否かを判断し、この判断結果に基づいて、制御部１２５により車両に搭載されている制動装置に対する制御内容を変更することができる。例えば、アクセル操作子に代えてブレーキペダルが適用された車両走行制御装置１は、運転者がブレーキペダルを速踏み操作した場合には、制御部１２５により、制動装置による車両の制動力の変化率を、通常時制御での車両の制動力の変化率に対して高くすることができる。つまり、車両走行制御装置１は、運転者がブレーキペダルを速踏み操作した場合には、車両の制動力をより高めることができる。このように、アクセル操作子に代えてブレーキ操作子が適用された車両走行制御装置１は、運転者の意志に基づいて、制動装置に対する制御内容を変更することができる。
【産業上の利用可能性】
【００８５】
以上のように、本発明に係る車両走行制御装置は、車両走行に対する運転者の意志の反映性を向上させる車両走行制御装置として有用である。
【符号の説明】
【００８６】
１      車両走行制御装置
１０    アクセルペダル（アクセル操作子）
１２    ＥＣＵ
１２３  閾値設定部
１２４  操作判断部
１２５  制御部
【図１】
0005471483.tif 000002
【図２】
0005471483.tif 000003
【図３】
0005471483.tif 000004
【図４】
0005471483.tif 000005
【図５】
0005471483.tif 000006
【図６】
0005471483.tif 000007
【図７】
0005471483.tif 000008
【図８】
0005471483.tif 000009
【図９】
0005471483.tif 000010